(57)【要約】【課題】紙への転写を正確に行うことのできるビデオプリンタ装置を提供することを目的とする。【解決手段】ビデオプリンタ装置１００は、定電圧電源回路１と、フォトインタラプタ２と、Ａ／Ｄ変換システム３と、ＣＰＵ４と、駆動回路５と、駆動モータ６と、Ｄ／Ａコンバータ回路７とを備える。定電圧電源回路１は、フォトインタラプタ２に定電圧を供給している。フォトインタラプタ２は、インクシートのフィルム面へ光を投射し、その透過光量を、電圧に変換してＡ／Ｄ変換システム３に入力させる。Ａ／Ｄ変換システム３は、入力された電圧をＡ／Ｄ変換することにより、デジタル値で表された電圧を得る。Ａ／Ｄ変換システム３は、補正電圧を算出し、Ｄ／Ａコンバータ回路７を介してフォトインタラプタ２にフィードバック入力させる。【選択図】図１
2005297261.tif 000002
【特許請求の範囲】
【請求項１】
受光素子からの出力電圧に基づきインクシートの検知を行うビデオプリンタ装置であって、
前記受光素子の駆動電圧を前記出力電圧に応じて変化させる駆動電圧変化手段
を備えることを特徴とするビデオプリンタ装置。
【請求項２】
請求項１に記載のビデオプリンタ装置であって、
前記駆動電圧変化手段は、
前記受光素子からの出力電圧をデジタル信号に変換し前記デジタル信号に基づき補正信号を生成するＡ／Ｄ変換システムと、
前記Ａ／Ｄ変換システムからの前記補正信号に基づき前記受光素子の駆動電圧を変化させるＤ／Ａコンバータと、
を有することを特徴とするビデオプリンタ装置。
【請求項３】
請求項１又は請求項２に記載のビデオプリンタ装置であって、
前記駆動電圧変化手段は、
前記出力電圧のＬレベルが前記Ｌレベルの閾値より高い場合には前記出力電圧を低く変化させる
ことを特徴とするビデオプリンタ装置。
【請求項４】
請求項１又は請求項２に記載のビデオプリンタ装置であって、
前記駆動電圧変化手段は、
前記出力電圧のＨレベルが前記Ｈレベルの閾値より低い場合には前記出力電圧を高く変化させる
ことを特徴とするビデオプリンタ装置。
【請求項５】
請求項１乃至請求項４のいずれかに記載のビデオプリンタ装置であって、
前記受光素子の駆動電圧は間欠的なパルス電圧である
ことを特徴とするビデオプリンタ装置。
【請求項６】
受光素子からの出力電圧に基づきインクシートの検知を行うビデオプリンタ装置であって、
前記受光素子の駆動電圧は間欠的なパルス電圧である
ことを特徴とするビデオプリンタ装置。
【請求項７】
請求項６に記載のビデオプリンタ装置であって、、
前記パルス電圧はポジションモータの駆動電圧および前記出力電圧に同期する
ことを特徴とするビデオプリンタ装置。
【発明の詳細な説明】
【技術分野】
【０００１】
本発明は、ビデオプリンタ装置に関し、特に、デジタル信号やアナログ信号で入力される画像を紙に転写できるビデオプリンタ装置におけるインクシート制御に関する。
【背景技術】
【０００２】
従来のビデオプリンタ装置におけるインクシートの制御について説明する。
【０００３】
従来のビデオプリンタ装置においては、フォトインタラプタを用いて、インクシートのフィルム面へ光を投射しその透過光量を電圧に変換して、コンパレータに入力させる。コンパレータは、入力されたこの電圧を基準電圧と比較し、比較結果に基づくデジタル信号を出力する。
【０００４】
一般的なインクシートは、インクシート面の色がイエロー、マゼンダ又はシアンであるインクシート本体と、インクシート面の色が黒である頭出しマークとを有する。フォトインタラプタから出力される電圧は、インクシート面の色が、イエロー、マゼンダ又はシアンのときは、光がある程度透過されるので、０ではない所定電圧（例えばＶ０とする）に近い値の電圧が出力され、インクシート面の色が黒のときは、光がほとんど透過されないので、０に近い値の電圧が出力される。従って、例えば基準電圧をＶ０／２とすると、インクシート面の色が、イエロー、マゼンダ又はシアンのときは、フォトインタラプタから出力される電圧は基準電圧より高くなるのでコンパレータはＨレベルのデジタル信号を出力し、インクシート面の色が黒のときは、フォトインタラプタから出力される電圧は基準電圧より低くなるのでコンパレータはＬレベルのデジタル信号を出力する。
【０００５】
このデジタル信号はＣＰＵに入力され、ＣＰＵは、この信号に基づき駆動回路に指示を与えることにより、駆動回路を制御し駆動モータを動作させる。これにより、インクシート本体と頭出しマークとを識別し動作を切り替え、インクシートの制御を行っている。
【０００６】
例えば特許文献１〜４には、フォトインタラプタ等の光学式検知器を用いて制御を行うプリンタ装置の例が開示されている。
【０００７】
【特許文献１】特開２０００−３４４４２４号公報
【特許文献２】特開２００２−２５４６８６号公報
【特許文献３】特開平７−３２６２６号公報
【特許文献４】特開平５−３０９９０１号公報
【発明の開示】
【発明が解決しようとする課題】
【０００８】
従来のビデオプリンタ装置は、以上のように構成されていた。従って、インクシート本体の色の反射状態や、頭出しマークの濃度や、インクシート面がフォトインタラプタを通過するときの速度等がずれることにより、フォトインタラプタから出力される電圧がずれる場合がある。また、インクシートの経年劣化等によっても、この電圧がずれる場合がある。
【０００９】
このような場合には、コンパレータにおける比較が適切に行われないので、上述したインクシートの識別が適切に行われない。従って、上記の動作切り替えを適切に行うことができないので、紙への転写が正確に行われない場合があるという問題点があった。
【００１０】
本発明は以上の問題点を解決するためになされたものであり、紙への転写を正確に行うことのできるビデオプリンタ装置を提供することを目的とする。
【課題を解決するための手段】
【００１１】
上記の課題を解決するために、本発明に係るビデオプリンタ装置は、受光素子からの出力電圧に基づきインクシートの検知を行うビデオプリンタ装置であって、受光素子の駆動電圧を出力電圧に応じて変化させる駆動電圧変化手段を備えることを特徴とする。
【発明の効果】
【００１２】
本発明に係るビデオプリンタ装置は、受光素子からの出力電圧に基づきインクシートの検知を行うビデオプリンタ装置であって、受光素子の駆動電圧を出力電圧に応じて変化させる駆動電圧変化手段を備えることを特徴とするので、受光素子からの出力電圧のずれを補正できる。従って、適切な切り替え判断を行うことにより、紙への転写を正確に行うことができる。
【発明を実施するための最良の形態】
【００１３】
＜実施の形態１＞
図１は、実施の形態１に係るビデオプリンタ装置１００を示す構成図である。図１において、ビデオプリンタ装置１００は、定電圧電源回路１と、フォトインタラプタ２と、Ａ／Ｄ変換システム３と、ＣＰＵ４と、駆動回路５と、駆動モータ６と、Ｄ／Ａコンバータ回路７とを備える。図１のビデオプリンタ装置１００において、定電圧電源回路１は、受光素子および発光素子を有するフォトインタラプタ２に定電圧を供給している。
【００１４】
図２は、図１に示されるビデオプリンタ装置１００により制御されるインクシート２００を示す模式図である。図２に示すように、インクシート２００は、イエローシート頭出しマーク１０１、イエローシート１０２、マゼンダシート頭出しマーク１０３、マゼンダシート１０４、シアンシート頭出しマーク１０５およびシアンシート１０６を、この順に繰り返した構成からなる。ここで、イエローシート頭出しマーク１０１、マゼンダシート頭出しマーク１０３およびシアンシート頭出しマーク１０５は、いずれも、黒色を有する。
【００１５】
次に、図３のフローチャートを用いて、図１のビデオプリンタ装置１００の１サイクルの動作について説明する。
【００１６】
まず、ステップＳ１において、フォトインタラプタ２は、発光素子を用いてインクシート２００のフィルム面へ光を投射し、その透過光量を、受光素子を用いて電圧に変換し、Ａ／Ｄ変換システム３に入力させる。
【００１７】
次に、ステップＳ２に進み、Ａ／Ｄ変換システム３は、入力された電圧をＡ／Ｄ変換することにより、デジタル値で表された電圧Ｖ２を得る。
【００１８】
次に、ステップＳ３に進み、Ａ／Ｄ変換システム３は、今サイクルのステップＳ２で得られた電圧Ｖ２を前サイクルのステップＳ２で得られた電圧Ｖ１と比較することにより、駆動モータ６で実行される制御シーケンスの動作切り替えを行うべきかどうかを判断する（但し、最初の１サイクルにおいては、電圧Ｖ１が存在しないので、ステップＳ１，Ｓ２において電圧Ｖ２を得る動作のみを行い、１サイクルの動作を終了するものとする）。以下では、この切り替え判断について、図４〜９に示すように、電圧が高い状態（Ｈ状態と呼ぶ）から電圧が低い状態（Ｌ状態と呼ぶ）への変化を例にとり説明する。なお、Ｈ状態においては、インクシート本体（イエローシート１０２、マゼンダシート１０４およびシアンシート１０６）の制御シーケンスが駆動モータ６で実行され、Ｌ状態においては、頭出しマーク（イエローシート頭出しマーク１０１、マゼンダシート頭出しマーク１０３およびシアンシート頭出しマーク１０５）の制御シーケンスが駆動モータ６で実行される。
【００１９】
図４〜９に示すように、この切り替え判断は、Ｈ状態の電圧の基準（閾値）となる予め設定された基準電圧ＶＨと、Ｌ状態の電圧の基準（閾値）となる予め設定された基準電圧ＶＬとを用いて行われる（ＶＨ＞ＶＬ＞０）。即ち、差分電圧ΔＶ＝ＶＨ−ＶＬ，差分電圧Ｖ３＝Ｖ１−Ｖ２とした場合に、以下の式（１）〜（３）が全て成立するときにのみ、切り替えを行う。
【００２０】
Ｖ３＞ΔＶ・・・（１）
Ｖ１＞ＶＨ・・・（２）
Ｖ２＜ＶＬ・・・（３）
例えば、図４に示すように、Ｖ３＞ΔＶ，Ｖ１＞ＶＨ，Ｖ２＜ＶＬである場合には、ステップＳ３においては式（１）が成立するのでステップＳ４に進み、ステップＳ４においては式（２），（３）が共に成立するのでステップＳ５に進む。ステップＳ５においては、Ａ／Ｄ変換システム３は、ＣＰＵ４に切り替えを通知する。そして、ＣＰＵ４は、駆動回路５を制御することにより駆動モータ６を駆動し、切り替えを行う。これにより、１サイクルの動作が終了する。
【００２１】
また、図５に示すように、Ｖ３＜ΔＶ，Ｖ１＞ＶＨ，Ｖ２＞ＶＬである場合には、ステップＳ３において式（１）は成立していないので、切り替えを行うことなく１サイクルの動作が終了する。
【００２２】
また、図６に示すように、Ｖ３＞ΔＶ，Ｖ１＞ＶＨ，Ｖ２＞ＶＬである場合には、ステップＳ３においては式（１）が成立するのでステップＳ４に進み、ステップＳ４においては式（２）は成立しているが式（３）は成立していないのでステップＳ６に進む。式（３）の不成立が１回目である場合には、ステップＳ６からステップＳ８に進む。ステップＳ８において、Ａ／Ｄ変換システム３は、以下の式（４）を用いて補正電圧Ｖ４を算出し、Ｄ／Ａコンバータ回路７を介してフォトインタラプタ２にフィードバック入力させる。
【００２３】
Ｖ４＝（ＶＨ＋ＶＬ）／２−（Ｖ１＋Ｖ２）／２・・・（４）
式（４）において、補正電圧Ｖ４は、基準電圧ＶＨ，ＶＬの中間電圧と電圧Ｖ１，Ｖ２の中間電圧との差分である。また、上述したように、Ｖ１＞ＶＨ，Ｖ２＞ＶＬであるので、式（４）から、Ｖ４＜０となる。従って、フォトインタラプタ２は、定電圧電源回路１から供給される定電圧に補正電圧Ｖ４を加えられることにより、その出力電圧は、図６から、図７のように下方にシフトされ、基準電圧ＶＨ，ＶＬの中間電圧と電圧Ｖ１，Ｖ２の中間電圧とが一致する。これは、フォトインタラプタ２を駆動する駆動電圧が変化（下方にシフト）されるためであり、即ち、Ａ／Ｄ変換システム３およびＤ／Ａコンバータ回路７は、本発明における駆動電圧変化手段として機能する。また、図７においては、式（１）より、Ｖ１＞ＶＨ＞ＶＬ＞Ｖ２となる。
【００２４】
次に、ステップＳ１に進み、２サイクル目の動作を開始すると、図７においては、式（１）〜（３）が全て成立するので、ステップＳ２、ステップＳ３およびステップＳ４を経てステップＳ５に進み、上述したような切り替えを行う。これにより、１サイクルの動作が終了する。
【００２５】
なお、ステップＳ６において式（３）の不成立が２回連続して発生した場合すなわちステップＳ８において補正を行ったにもかかわらず式（３）が不成立であった場合には、製品不良と判断し、ステップＳ７に進みエラー表示を行い、１サイクルの動作が終了する。
【００２６】
また、上述の説明においては、Ｈ状態からＬ状態への変化を例にとったが、Ｌ状態からＨ状態への変化についても、基準電圧ＶＨ，ＶＬの中間電圧と電圧Ｖ１，Ｖ２の中間電圧とを一致させることにより、同様の補正が可能である。但し、この場合には、Ｖ４＞０となるので、図８を、図９のように上方にシフトさせることになる。
【００２７】
このように、本実施の形態に係るビデオプリンタ装置１００においては、前サイクルにおいて得られた電圧Ｖ１と今サイクルにおいて得られた電圧Ｖ２と予め設定された基準電圧ＶＨ，ＶＬとを用いて、切り替えを行うべきかどうかを判断する。そして、これらから算出される補正電圧Ｖ４を、フォトインタラプタ２にフィードバック入力させる。一般的なインクシートにおいては、フォトインタラプタ２から出力される電圧のずれは、１枚のインクシート全体に渡ってほぼ一様であるので、サイクル毎の補正電圧Ｖ４のばらつきは小さい。従って、１枚のインクシート全体に渡るずれに対応する固有の値としての補正電圧Ｖ４を用いることにより、インクシート２００が経年劣化した場合等においても、フォトインタラプタ２から出力される電圧のずれを補正できる。よって、適切な切り替え判断を行うことにより、紙への転写を正確に行うことができる。
【００２８】
＜実施の形態２＞
実施の形態１に係る図１のビデオプリンタ装置１００においては、定電圧電源回路１は、フォトインタラプタ２に定電圧を供給している。しかし、フォトインタラプタ２へ供給される電圧は、フォトインタラプタ２の動作に合わせた間欠的なパルス電圧であってもよい。
【００２９】
図１０は、実施の形態２に係るビデオプリンタ装置３００を示す構成図である。図１０のビデオプリンタ装置１００は、図１のビデオプリンタ装置３００において、定電圧電源回路１に代えて、ポジションモータ１０に接続されたパルス電圧電源回路８を備える。図１０において、図１と同様の要素については同一の符号を付してしてあるので、それらのここでの詳細な説明は省略する。
【００３０】
図１１は、図１０のビデオプリンタ装置３００におけるポジションモータ１０の機能を示す構成図である。図１１において、ポジションモータ１０が駆動されると、ウォーム１１、ホイールギヤ１２を介して、カム１３が駆動される。カム１３が駆動されると、ヘッド１４が駆動されるとともに、リンク１７を介してピンチローラ１８が駆動される。これにより、ヘッド１４と、ピンチローラ１８、クリップ１９およびプラテンローラ２０に支えられたペーパー１６とが、所定のポジションにセットされる。そして、このセットの後に、駆動モータ６（図１１には図示しない）がインクシート１５を制御することにより、ペーパ１６へのプリントが開始される。
【００３１】
次に、図１０，１２を用いて、ビデオプリンタ装置３００の動作を説明する。
【００３２】
図１２において、ポジションモータ１０の駆動電圧は、パルス電圧電源回路８に入力されている。図１２に示すように、パルス電圧電源回路８は、ポジションモータ１０の駆動電圧の立ち下がりをトリガーとして、フォトインタラプタ２へ供給するパルス電圧を立ち上げる。
【００３３】
また、図１２において、フォトインタラプタ２から出力される電圧は、Ａ／Ｄ変換システム３にだけではなく、パルス電圧電源回路８にも入力されている。図１２に示すように、パルス電圧電源回路８は、フォトインタラプタ２から出力される電圧の立ち下がりをトリガーとして、フォトインタラプタ２へのパルス電圧を立ち下げる。
【００３４】
一般的なビデオプリンタ装置においては、フォトインタラプタ２から出力される電圧が立ち下がってから、次のポジションモータ１０の駆動電圧が立ち下がるまでは、フォトインタラプタ２は動作する必要がない。従って、この間にはフォトインタラプタ２へ電圧を供給しないことにより、消費電力を低減することができる。
【００３５】
このように、本実施の形態に係るビデオプリンタ装置３００は、フォトインタラプタ２の動作に合わせて間欠的なパルス電圧を供給するので、パルス電圧の欠落部分において、消費電力を低減することができる。また、フォトインタラプタ２の長寿命化が可能となる。
【図面の簡単な説明】
【００３６】
【図１】実施の形態１に係るビデオプリンタ装置を示す構成図である。
【図２】実施の形態１に係るビデオプリンタ装置により制御されるインクシートを示す模式図である。
【図３】実施の形態１に係るビデオプリンタ装置の動作を示すフローチャートである。
【図４】実施の形態１に係る電圧変化を示すグラフである。
【図５】実施の形態１に係る電圧変化を示すグラフである。
【図６】実施の形態１に係る電圧変化を示すグラフである。
【図７】実施の形態１に係る電圧変化を示すグラフである。
【図８】実施の形態１に係る電圧変化を示すグラフである。
【図９】実施の形態１に係る電圧変化を示すグラフである。
【図１０】実施の形態２に係るビデオプリンタ装置を示す構成図である。
【図１１】実施の形態２に係るポジションモータの機能を示す構成図である。
【図１２】実施の形態２に係るビデオプリンタ装置の動作を示すタイムチャートである。
【符号の説明】
【００３７】
１  定電圧電源回路、２  フォトインタラプタ、３  Ａ／Ｄ変換システム、４  ＣＰＵ、５  駆動回路、６  駆動モータ、７  Ｄ／Ａコンバータ回路、８  パルス電圧電源回路、１０  ポジションモータ、１１  ウォーム、１２  ホイールギヤ、１３  カム、１４  ヘッド、１６  ペーパー、１７  リンク、１８  ピンチローラ、１９  クリップ、２０  プラテンローラ、１００，３００  ビデオプリンタ、１０１  イエローシート頭出しマーク、１０２  イエローシート、１０３  マゼンダシート頭出しマーク、１０４  マゼンダシート、１０５  シアンシート頭出しマーク、１０６  シアンシート、２００  インクシート、Ｖ１，Ｖ２  電圧、Ｖ３，ΔＶ  差分電圧、Ｖ４  補正電圧、ＶＨ，ＶＬ  基準電圧。
【図１】
2005297261.tif 000003
【図２】
2005297261.tif 000004
【図３】
2005297261.tif 000005
【図４】
2005297261.tif 000006
【図５】
2005297261.tif 000007
【図６】
2005297261.tif 000008
【図７】
2005297261.tif 000009
【図８】
2005297261.tif 000010
【図９】
2005297261.tif 000011
【図１０】
2005297261.tif 000012
【図１１】
2005297261.tif 000013
【図１２】
2005297261.tif 000014